【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
ビデオデータをコーディングする方法であって、
ビュー合成予測がビデオデータの１つまたは複数のピクチャのために使用可能であるかどうかを示す情報をコーディングすることと、
ビュー合成予測が前記ビデオデータの前記１つまたは複数のピクチャのために使用可能であることを示す前記情報に基づいて、
前記ビデオデータの前記１つまたは複数のピクチャを使用してビュー合成ピクチャを生成することと、
前記１つまたは複数のピクチャの現在のピクチャの少なくとも一部分がビュー合成予測コーディングモードを使用して予測されるかどうかを示す前記少なくとも一部分のための選択されたコーディングモードを表す値をコーディングすることと、ここにおいて、前記値は、ビュー合成予測が前記１つまたは複数のピクチャのために使用可能であるかどうかを示す前記情報とは別個のものである、
前記少なくとも一部分が前記ビュー合成予測コーディングモードを使用して予測されることを示す前記値に基づいて、前記ビュー合成ピクチャに対して前記少なくとも一部分をコーディングすることと、
を備える、方法。
【請求項２】
前記情報をコーディングすることは、前記現在のピクチャの前記少なくとも一部分に対応するパラメータセットのシンタックス要素をコーディングすることを備える、請求項１に記載の方法。
【請求項３】
前記シンタックス要素をコーディングすることは、前記１つまたは複数のピクチャを含む一連のピクチャに対応するシーケンスパラメータセットのシンタックス要素を、ビュー合成予測が前記対応する一連のピクチャのために使用可能であるかどうかを前記シンタックス要素が示すように、コーディングすることを備える、請求項２に記載の方法。
【請求項４】
前記シンタックス要素をコーディングすることは、前記現在のピクチャに対応するピクチャパラメータセットと前記現在のピクチャの前記少なくとも一部分を備えるスライスに対応するアクセスユニットレベルパラメータセットとのうちの少なくとも１つのシンタックス要素をコーディングすることを備える、請求項２に記載の方法。
【請求項５】
前記アクセスユニットレベルパラメータセットは適応パラメータセットと深度パラメータセットとのうちの１つを備える、請求項４に記載の方法。
【請求項６】
前記現在のピクチャの前記少なくとも一部分は現在のスライスを備え、前記情報をコーディングすることは、前記現在のスライスのためのスライスヘッダのシンタックス要素をコーディングすることを備える、請求項１に記載の方法。
【請求項７】
前記ビュー合成ピクチャを生成するために使用するための参照ビューについての識別情報をコーディングすることをさらに備え、前記ビュー合成ピクチャを生成することは、前記参照ビューのピクチャに対して前記ビュー合成ピクチャを生成することを備える、請求項１に記載の方法。
【請求項８】
前記識別情報をコーディングすることは、前記参照ビューのためのビュー識別子（ｖｉｅｗ＿ｉｄ）に基づいて値をコーディングすることを備える、請求項７に記載の方法。
【請求項９】
前記識別情報をコーディングすることは、前記参照ビューのための水平変換情報に基づいて値をコーディングすることを備える、請求項７に記載の方法。
【請求項１０】
ビュー合成予測が前記ビデオデータのために使用可能でないことを示す前記情報に基づいて、どのビュー合成ピクチャも参照することなく、イントラ予測と、時間的インター予測と、ビュー間予測とのうちの少なくとも１つを使用して前記現在のピクチャをコーディングすることをさらに備える、請求項１に記載の方法。
【請求項１１】
ビュー合成予測が前記ビデオデータのために使用可能でないことを前記情報が示すとき、前記ビデオデータをコーディングする間にビュー合成ピクチャが生成されない、請求項１に記載の方法。
【請求項１２】
前記現在のピクチャの前記少なくとも一部分をコーディングすることは、前記現在のピクチャの前記少なくとも一部分を復号することを備える、請求項１に記載の方法。
【請求項１３】
前記現在のピクチャの前記少なくとも一部分をコーディングすることは、前記現在のピクチャの前記少なくとも一部分を符号化することを備える、請求項１に記載の方法。
【請求項１４】
前記現在のピクチャの前記少なくとも一部分は、前記現在のピクチャのコーディングユニットの予測ユニットを備え、前記値は、前記予測ユニットのためのコーディングモードを表すシンタックス要素の値を備える、請求項１に記載の方法。
【請求項１５】
ビデオデータをコーディングするためのデバイスであって、
ビデオデータを記憶するように構成されたメモリと、
ビュー合成予測が前記ビデオデータの１つまたは複数のピクチャのために使用可能であるかどうかを示す情報をコーディングすることと、
ビュー合成予測が前記ビデオデータの前記１つまたは複数のピクチャのために使用可能であることを示す前記情報に基づいて、
前記ビデオデータの前記１つまたは複数のピクチャを使用してビュー合成ピクチャを生成することと、
前記１つまたは複数のピクチャの現在のピクチャの少なくとも一部分がビュー合成予測コーディングモードを使用して予測されるかどうかを示す前記少なくとも一部分のための選択されたコーディングモードを表す値をコーディングすることと、ここにおいて、前記値は、ビュー合成予測が前記１つまたは複数のピクチャのために使用可能であるかどうかを示す前記情報とは別個のものである、
前記少なくとも一部分が前記ビュー合成予測コーディングモードを使用して予測されることを示す前記値に基づいて、前記ビュー合成ピクチャに対して前記少なくとも一部分をコーディングすることと、
を行うように構成されたビデオコーダと、
を備えるデバイス。
【請求項１６】
前記ビデオコーダは、前記現在のピクチャの前記少なくとも一部分に対応するパラメータセットのシンタックス要素をコーディングするように構成された、請求項１５に記載のデバイス。
【請求項１７】
前記ビデオコーダは、前記１つまたは複数のピクチャを含む一連のピクチャに対応するシーケンスパラメータセットのシンタックス要素を、ビュー合成予測が前記対応する一連のピクチャのために使用可能であるかどうかを前記シンタックス要素が示すように、コーディングするように構成された、請求項１６に記載のデバイス。
【請求項１８】
前記ビデオコーダは、前記現在のピクチャに対応するピクチャパラメータセットと前記現在のピクチャの前記少なくとも一部分を備えるスライスに対応するアクセスユニットレベルパラメータセットとのうちの少なくとも１つのシンタックス要素をコーディングするように構成された、請求項１６に記載のデバイス。
【請求項１９】
前記現在のピクチャの前記少なくとも一部分は現在のスライスを備え、
前記ビデオコーダは、前記現在のスライスのためのスライスヘッダのシンタックス要素をコーディングするように構成された、請求項１５に記載のデバイス。
【請求項２０】
前記ビデオコーダは、前記ビュー合成ピクチャを生成するために使用するための参照ビューについての識別情報をコーディングするようにさらに構成され、前記ビデオコーダは、前記参照ビューのピクチャに対して前記ビュー合成ピクチャを生成するように構成された、請求項１５に記載のデバイス。
【請求項２１】
前記ビデオコーダは、前記識別情報として前記参照ビューのためのビュー識別子（ｖｉｅｗ＿ｉｄ）をコーディングするように構成された、請求項２０に記載のデバイス。
【請求項２２】
前記ビデオコーダは、前記識別情報として前記参照ビューのための水平変換情報をコーディングするように構成された、請求項２０に記載のデバイス。
【請求項２３】
ビュー合成予測が前記ビデオデータのために使用可能でないことを前記情報が示すとき、前記ビデオコーダは、どのビュー合成ピクチャも参照することなく、イントラ予測と、時間的インター予測と、ビュー間予測とのうちの少なくとも１つを使用して前記現在のピクチャをコーディングするように構成された、請求項１５に記載のデバイス。
【請求項２４】
前記ビデオコーダはビデオデコーダを備える、請求項１５に記載のデバイス。
【請求項２５】
前記ビデオコーダはビデオエンコーダを備える、請求項１５に記載のデバイス。
【請求項２６】
前記デバイスは、
集積回路と、
マイクロプロセッサと、
前記ビデオコーダを含むワイヤレス通信デバイスと、
のうちの少なくとも１つを備える、請求項１５に記載のデバイス。
【請求項２７】
ビデオデータをコーディングするためのデバイスであって、
ビュー合成予測がビデオデータの１つまたは複数のピクチャのために使用可能であるかどうかを示す情報をコーディングする手段と、
ビュー合成予測が前記ビデオデータの前記１つまたは複数のピクチャのために使用可能であることを示す前記情報に基づいて、前記ビデオデータの前記１つまたは複数のピクチャを使用してビュー合成ピクチャを生成する手段と、
ビュー合成予測が前記ビデオデータの前記１つまたは複数のピクチャのために使用可能であることを示す前記情報に基づいて、前記１つまたは複数のピクチャの現在のピクチャの少なくとも一部分がビュー合成予測コーディングモードを使用して予測されるかどうかを示す前記少なくとも一部分のための選択されたコーディングモードを表す値をコーディングする手段と、ここにおいて、前記値は、ビュー合成予測が前記１つまたは複数のピクチャのために使用可能であるかどうかを示す前記情報とは別個のものである、
ビュー合成予測が前記ビデオデータの前記１つまたは複数のピクチャのために使用可能であることを示す前記情報に基づいて、および前記少なくとも一部分が前記ビュー合成予測コーディングモードを使用して予測されることを示す前記値に基づいて、前記ビュー合成ピクチャに対して前記少なくとも一部分をコーディングする手段と、
を備える、デバイス。
【請求項２８】
前記情報をコーディングする前記手段は、前記現在のピクチャの前記少なくとも一部分に対応するパラメータセットのシンタックス要素をコーディングする手段を備える、請求項２７に記載のデバイス。
【請求項２９】
前記シンタックス要素をコーディングする前記手段は、前記１つまたは複数のピクチャを含む一連のピクチャに対応するシーケンスパラメータセットのシンタックス要素を、ビュー合成予測が前記対応する一連のピクチャのために使用可能であるかどうかを前記シンタックス要素が示すように、コーディングする手段を備える、請求項２８に記載のデバイス。
【請求項３０】
前記シンタックス要素をコーディングする前記手段は、前記現在のピクチャに対応するピクチャパラメータセットと前記現在のピクチャの前記少なくとも一部分を備えるスライスに対応するアクセスユニットレベルパラメータセットとのうちの少なくとも１つのシンタックス要素をコーディングする手段を備える、請求項２８に記載のデバイス。
【請求項３１】
前記現在のピクチャの前記少なくとも一部分が現在のスライスを備え、
前記情報をコーディングする前記手段は、前記現在のスライスのためのスライスヘッダのシンタックス要素をコーディングする手段を備える、請求項２７に記載のデバイス。
【請求項３２】
前記ビュー合成ピクチャを生成するために使用するための参照ビューについての識別情報をコーディングする手段をさらに備え、前記ビュー合成ピクチャを生成する前記手段は、前記参照ビューのピクチャに対して前記ビュー合成ピクチャを生成する手段を備える、請求項２７に記載のデバイス。
【請求項３３】
前記識別情報をコーディングする前記手段は、前記参照ビューのためのビュー識別子（ｖｉｅｗ＿ｉｄ）をコーディングする手段を備える、請求項３２に記載のデバイス。
【請求項３４】
前記識別情報をコーディングする前記手段は、前記参照ビューのための水平変換情報をコーディングする手段を備える、請求項３２に記載のデバイス。
【請求項３５】
ビュー合成予測が前記ビデオデータのために使用可能でないことを前記情報が示すとき、どのビュー合成ピクチャも参照することなく、イントラ予測と、時間的インター予測と、ビュー間予測とのうちの少なくとも１つを使用して前記現在のピクチャをコーディングする手段をさらに備える、請求項２７に記載のデバイス。
【請求項３６】
前記現在のピクチャの前記少なくとも一部分をコーディングする前記手段は、前記現在のピクチャの前記少なくとも一部分を復号する手段を備える、請求項２７に記載のデバイス。
【請求項３７】
前記現在のピクチャの前記少なくとも一部分をコーディングする前記手段は、前記現在のピクチャの前記少なくとも一部分を符号化する手段を備える、請求項２７に記載のデバイス。
【請求項３８】
実行されたとき、プロセッサに、
ビュー合成予測がビデオデータの１つまたは複数のピクチャのために使用可能であるかどうかを示す情報をコーディングすることと、
ビュー合成予測が前記ビデオデータの前記１つまたは複数のピクチャのために使用可能であることを示す前記情報に基づいて、
前記ビデオデータの前記１つまたは複数のピクチャを使用してビュー合成ピクチャを生成することと、
前記１つまたは複数のピクチャの現在のピクチャの少なくとも一部分がビュー合成予測コーディングモードを使用して予測されるかどうかを示す前記少なくとも一部分のための選択されたコーディングモードを表す値をコーディングすることと、ここにおいて、前記値は、ビュー合成予測が前記１つまたは複数のピクチャのために使用可能であるかどうかを示す前記情報とは別個のものである、
前記少なくとも一部分が前記ビュー合成予測コーディングモードを使用して予測されることを示す前記値に基づいて、前記ビュー合成ピクチャに対して前記少なくとも一部分をコーディングすることと、
を行わせる命令を記憶した非一時的コンピュータ可読記憶媒体。
【請求項３９】
前記情報をコーディングすることを前記プロセッサに行わせる前記命令は、前記現在のピクチャの前記少なくとも一部分に対応するパラメータセットのシンタックス要素をコーディングすることを前記プロセッサに行わせる命令を備える、請求項３８に記載の非一時的コンピュータ可読記憶媒体。
【請求項４０】
前記シンタックス要素をコーディングすることを前記プロセッサに行わせる前記命令は、前記１つまたは複数のピクチャを含む一連のピクチャに対応するシーケンスパラメータセットのシンタックス要素を、ビュー合成予測が前記対応する一連のピクチャのために使用可能であるかどうかを前記シンタックス要素が示すように、コーディングすることを前記プロセッサに行わせる命令を備える、請求項３９に記載の非一時的コンピュータ可読記憶媒体。
【請求項４１】
前記シンタックス要素をコーディングすることを前記プロセッサに行わせる前記命令は、前記現在のピクチャに対応するピクチャパラメータセットと前記現在のピクチャの前記少なくとも一部分を備えるスライスに対応するアクセスユニットレベルパラメータセットとのうちの少なくとも１つのシンタックス要素をコーディングすることを前記プロセッサに行わせる命令を備える、請求項３９に記載の非一時的コンピュータ可読記憶媒体。
【請求項４２】
前記現在のピクチャの前記少なくとも一部分は現在のスライスを備え、
前記情報をコーディングすることを前記プロセッサに行わせる前記命令は、前記現在のスライスのためのスライスヘッダのシンタックス要素をコーディングすることを前記プロセッサに行わせる命令を備える、請求項３８に記載の非一時的コンピュータ可読記憶媒体。
【請求項４３】
前記ビュー合成ピクチャを生成するために使用するための参照ビューについての識別情報をコーディングすることを前記プロセッサに行わせる命令をさらに備え、
前記ビュー合成ピクチャを生成することを前記プロセッサに行わせる前記命令は、前記参照ビューのピクチャに対して前記ビュー合成ピクチャを生成することを前記プロセッサに行わせる命令を備える、請求項３８に記載の非一時的コンピュータ可読記憶媒体。
【請求項４４】
前記識別情報をコーディングすることを前記プロセッサに行わせる前記命令は、前記参照ビューのためのビュー識別子（ｖｉｅｗ＿ｉｄ）をコーディングすることを前記プロセッサに行わせる命令を備える、請求項４３に記載の非一時的コンピュータ可読記憶媒体。
【請求項４５】
前記識別情報をコーディングすることを前記プロセッサに行わせる前記命令は、前記参照ビューのための水平変換情報をコーディングすることを前記プロセッサに行わせる命令を備える、請求項４３に記載の非一時的コンピュータ可読記憶媒体。
【請求項４６】
ビュー合成予測が前記ビデオデータのために使用可能でないことを示す前記情報に基づいて、どのビュー合成ピクチャも参照することなく、イントラ予測と、時間的インター予測と、ビュー間予測とのうちの少なくとも１つを使用して前記現在のピクチャをコーディングすることを前記プロセッサに行わせる命令をさらに備える、請求項３８に記載の非一時的コンピュータ可読記憶媒体。
【請求項４７】
前記現在のピクチャの前記少なくとも一部分をコーディングすることを前記プロセッサに行わせる前記命令は、前記現在のピクチャの前記少なくとも一部分を復号することを前記プロセッサに行わせる命令を備える、請求項３８に記載の非一時的コンピュータ可読記憶媒体。
【請求項４８】
前記現在のピクチャの前記少なくとも一部分をコーディングすることを前記プロセッサに行わせる前記命令は、前記現在のピクチャの前記少なくとも一部分を符号化することを前記プロセッサに行わせる命令を備える、請求項３８に記載の非一時的コンピュータ可読記憶媒体。